(57)【要約】【課題】  転倒によって紙屑等の塵が外部に飛散することをできるだけ防止できるとともに、塵を排出すべく持ち運びを行うときに、周壁の内部に手指が触れることのないダストボックスを提供すること。【解決手段】  床面Ｆに接地する底壁１１の外周から周壁１３を起立させて内部に塵の収容空間が形成されている。周壁１３の上部寄りの面内には投入口１２が形成されており、当該投入口１２よりも上方の周壁上端部１３Ａに、排出口１５の開閉を行うファスナー１４が設けられている。【選択図】          図１
2005239317.tif 000002
【特許請求の範囲】
【請求項１】
床面に接地する底壁と、当該底壁の外周から起立して内部に所定の収容空間を形成するとともに、上部側の面内に塵の投入口が形成された周壁を備えたダストボックスにおいて、
前記周壁の上端部及び又は周壁の一部にファスナー若しくは封緘手段を介して開閉可能な排出口が形成されていることを特徴とするダストボックス。
【請求項２】
前記周壁の上方に向かうに従って容積を縮小して当該周壁の上端部が略扁平となる形状に設けられ、当該上端部にファスナー若しくは封緘手段が設けられていることを特徴とする請求項１記載のダストボックス。
【請求項３】
前記周壁は、略方形のシートを用いて円筒若しくは角筒状に形成され、当該円筒若しくは角筒の上部を次第に扁平に変形させた状態で前記排出口が閉塞可能に設けられていることを特徴とする請求項１又は２記載のダストボックス。
【請求項４】
前記投入口が正面に表れる状態で当該投入口を見たときに、前記底壁は、前後に揺動可能となる緩やかな曲面形状に設けられていることを特徴とする請求項１，２又は３記載のダストボックス。
【請求項５】
前記投入口が正面に表れる状態としたときに、前記周壁の左右幅は、上部が下部より大きい形状をなす一方、投入口が側面に表れる状態としたときに、前記周壁の左右幅は、上部が下部より小さい形状とされていることを特徴とする請求項１ないし４の何れかに記載のダストボックス。
【請求項６】
前記ファスナー若しくは封緘手段を閉塞解除位置としたときに、前記排出口は略閉塞姿勢を保ち、この排出口に所定の操作力を付与することで当該排出口が開くことを特徴とする請求項１ないし５の何れかに記載のダストボックス。
【発明の詳細な説明】
【技術分野】
【０００１】
本発明はダストボックスに係り、更に詳しくは、投入口が設けられた周壁の上端部若しくは周壁の一部にファスナー等を介して開閉可能となる排出口を備えたダストボックスに関する。
【背景技術】
【０００２】
従来より、オフィスや一般家庭等において各種のダストボックスが利用されている。このダストボックスは、床面に接地する底壁と、この底壁の外周から起立するとともに、内部に一定の収容空間を形成して上端を開放する周壁とを備えて構成され、その外観形状が円筒若しくは角筒状に設けられたものが一般的となっている。このタイプのダストボックスは、上端の開放部が紙屑等の投入口及び排出口となる。
【０００３】
他のダストボックスとしては、周壁の領域内で、当該周壁の上端近傍に投入口を設ける一方、上端に形成された排出口に蓋部材を着脱自在に設け、当該蓋部材を取り外すことにより塵の排出が行えるタイプのもの、或いは、蓋部材が蝶番機構やロック機構を介して開閉できるタイプのものが存在する。
【発明の開示】
【発明が解決しようとする課題】
【０００４】
しかしながら、投入口と排出口を兼用するタイプのダストボックスにあっては、上端側が大きく開放している構造となるため、ダストボックスを転倒させてしまったときに、収容空間内の紙屑等が床面に散乱してしまうという不都合を招来する。また、紙屑等の塵を排出するためにダストボックスを持ち運ぶ際に、前記投入口付近における周壁の内外両面を手指で挟み持つ状態となるため、周壁の上端部内面側に汚れが付着していた場合に、その汚れが手指に転移してしまい、衛生上問題になるという不都合がある。
【０００５】
また、蓋部材を設けたダストボックスの場合には、ダストボックスが転倒したときの衝撃で蓋部材が外れてしまい、同様に、内部の紙屑等が散乱してしまう、という不都合がある。更に、蓋部材が蝶番機構等を介して開閉できるようにした場合には、転倒による不用意な脱落は回避可能となるが、蓋部材の取り外しが煩雑になるとともに、複雑な構造となり、しかも、形状の自由度が狭められてしまうという不都合がある。更に、蓋部材を備えたダストボックスを移動する場合には、周壁の外面側を両手で挟み持つようにして移動しなければならないものとなり、片手で移動させることが困難となる。この際、蓋部材を取り外して排出口付近における周壁の内外両面を挟み持つことも可能であるが、この場合にも衛生上の問題を惹起せしめることとなる。
【０００６】
更に、周壁が略円筒状に設けられて当該周壁に投入口を形成した場合には、円筒の軌跡に沿って投入口が形成されることになるため、当該投入口を正面から見たときの開口の左右両端を結ぶ直線距離は底壁の直径を超えないものとなる。従って、底壁の面積が小さい場合には、投入口の左右両端を結ぶ直線幅も小さくなるため、塵を投入し易くする開口形状とすることができない。この場合、投入口の上下開口幅を大きくして塵を投入し易くすることも可能ではあるが、このようにすると、収容空間において塵を堆積できる高さが狭められてしまうこととなる。
【０００７】
［発明の目的］
本発明は、このような不都合に着目して案出されたものであり、その目的は、転倒によって紙屑等の塵が外部に飛散することをできるだけ防止できるとともに、塵を排出すべく持ち運びを行うときに、周壁の内部に手指が触れることのないダストボックスを提供することにある。
【０００８】
本発明の他の目的は、底壁の面積を大きく設定しなくても、投入口の左右幅を大きく確保して塵を投入し易くすることが可能となるダストボックスを提供することにある。
【０００９】
また、本発明の更に他の目的は、投入口に紙屑等を投げ入れて当該投入口の後方に位置する周壁の内面側に紙屑がぶつかっても、その反発力による跳ね返りで紙屑が外側に飛び出しまうおそれの少ないダストボックスを提供することにある。
【課題を解決するための手段】
【００１０】
前記目的を達成するため、本発明は、床面に接地する底壁と、当該底壁の外周から起立して内部に所定の収容空間を形成するとともに、上部側の面内に塵の投入口が形成された周壁を備えたダストボックスにおいて、
前記周壁の上端部及び又は周壁の一部にファスナー若しくは封緘手段を介して開閉可能な排出口が形成される、という構成を採っている。
【００１１】
本発明におけるダストボックスは、前記周壁の上方に向かうに従って容積を縮小して当該周壁の上端部が略扁平となる形状に設けられ、当該上端部にファスナー若しくは封緘手段が設けられる、という構成を採ることができる。
【００１２】
また、前記周壁は、略方形のシートを用いて円筒若しくは角筒状に形成され、当該円筒若しくは角筒の上部を次第に扁平に変形させた状態で前記排出口が閉塞可能に設けられる、という構成を採ることが好ましい。
【００１３】
更に、前記投入口が正面に表れる状態で当該投入口を見たときに、前記底壁は、前後に揺動可能となる緩やかな曲面形状となるように設けるとよい。
【００１４】
また、前記投入口が正面に表れる状態で当該投入口を見たときに、前記周壁の左右幅は、上部が下部より大きい形状をなす一方、投入口が側面に表れる状態で当該投入口を見たときに、前記周壁の左右幅は、上部が下部より小さい形状とされる、という構成を採っている。
【００１５】
更に、前記ダストボックスは、前記ファスナー若しくは封緘手段を閉塞解除位置としたときに、前記排出口が略閉塞姿勢に保たれ、この排出口に所定の操作力を付与したときに当該排出口が開く、という構成を採ることができる。
【発明の効果】
【００１６】
本発明によれば、排出口がファスナー若しくは封緘手段によって閉塞可能に設けられ、且つ、投入口が周壁に設けられているため、ダストボックスが転倒した場合であっても、内部の紙屑等が床面に散乱してしまうおそれを低減することが可能となる。
【００１７】
また、排出口をファスナー等で閉じた状態に保ち得るため、ダストボックスを移動する際に、周壁の内面に手指を触れさせることなくファスナー領域を跨ぐように手を掛け、周壁部分を摘んで持ち運びでき、衛生上好ましい状態での移動が可能となる。
【００１８】
更に、底壁の曲面形状により、丸めた紙屑等を投入口より投げ入れて当該投入口の後方に位置する周壁内面部分に紙屑がぶつかったときに、ダストボックスの上部側が瞬間的に後方に向かって僅かに傾くようになる。この後方への僅かな傾きは、紙屑に対して反発力を低減する作用をもたらす結果、紙屑の跳ね返り力が低減されることとなり、当該紙屑が投入口から外部に飛び出てしまうような不都合を防止することとなる。
【００１９】
また、投入口が正面側となる状態で当該投入口を見たときに、周壁が上方に向かうに従って横幅（左右幅）が大きくなる形状とされているため、投入口の横幅を大きく形成することができる。従って、底壁を極端に大きなサイズとしなくても紙屑等を投入し易い大きさを備えた投入口とすることができる。
【００２０】
更に、前記ファスナー等を閉塞解除位置としても、排出口が略閉じられた姿勢を保つ構成とすることにより、ファスナーの閉め忘れ等があっても、転倒時に排出口から塵が散乱してしまうという不都合を防止することができる。
【発明を実施するための最良の形態】
【００２１】
以下、本発明に係るダストボックスの好ましい実施形態について、図面を参照しながら説明する。
【００２２】
図１には、本実施形態に係るダストボックスの概略斜視図が示され、図２及び図３には、その正面図及び側面図が示されている。これらの図において、ダストボックス１０は、特に限定されるものではないが、全体的に合成樹脂シート材を用いて構成されており、例えば、外側から押圧したときに適度に凹む程度の可撓性を備えて構成されている。このダストボックス１０は、底壁１１と、当該底壁１１の外周から起立して内部に一定の収容空間を備えているとともに、上部側の一部面内に紙屑等の投入口１２を備えた周壁１３と、当該周壁１３の上端部１３Ａに設けられたファスナー１４を介して開閉可能な排出口１５（図４参照）とにより構成されている。底壁１１は、本実施形態では平面視略円形をなし、その外周を若干立ち上がらせて周壁１３の下端に溶着等の手段により一体的に結合されている。
【００２３】
前記周壁１３は、一枚の略方形状をなすシートを略円筒状にし、その突き合わせ端部領域を上下方向に沿って溶着することにより横断面形状が閉ループとなる形状に設けられている。この周壁１３は、下端部を底壁１１に溶着した状態で上端を開放した円筒状をなし、この円筒を上方に向かうに従って扁平に変形させることで、前記上端部１３Ａが前後に二枚厚となる形状に設けられている。そして、周壁１３は、初期の円筒形状から強制的な変形力を受けることにより、前記投入口１２が正面に表れるように見たときに、底壁１１の前後両側（図５中左右両側）が床面Ｆから浮き上がる曲面形状に変形することとなる。また、図２に示されるように、投入口１２を正面にしてダストボックス１０を見たときに、周壁１３の外形は、上部左右幅が下部の左右幅よりも大きくなる一方、図３に示されるように、投入口１２が側面に表れるように見たときに、周壁１３の外形は上部左右幅が下部左右幅よりも小さくなる略コーン形状となる。従って、図２中左右方向（横方向）を長軸とする略楕円形状の投入口１２は、その左右両端を直線で結ぶ幅Ｗが、底壁１１の直径Ｄよりも大きく形成できることとなる。
【００２４】
前記ファスナー１４は、前述したように二枚厚となる上端部１３Ａにそれぞれ溶着されて排出口１５を形成する一対のレール２０，２０と、これらレール２０，２０間に跨るスライダ２１とにより構成されている。従って、スライダ２１をレール２０に沿って移動させることで排出口１５は開閉可能となる。
【００２５】
前記ダストボックス１０は、前記投入口１２が正面に表れるようにして床面Ｆに接地し、ファスナー１４を閉じた状態で利用される。ダストボックス１０への塵投入は、投入口１２より行われ、塵を排出するときは、ファスナー１４を開いて扁平となっている排出口１５を開いて行えばよい（図４参照）。ダストボックス１０を移動させる場合には、図１に示されるように、排出口１５を閉じておき、ファスナー１４を上方から跨ぐようにして周壁１３の上端部１３Ａ領域を挟み持つことにより行うことができる。従って、周壁１３内に手指が触れることはない。
【００２６】
前記投入口１２に向かって、紙屑等を投げ入れたときは、当該投入口１２の直後に位置する周壁１３の内面に紙屑がぶつかって一定の衝撃が付与されることとなる。この際、前述したように底壁１１が曲面形状に設けられているため、ダストボックス１０は、図５中右側に若干傾くように揺動することとなり、この揺動により、前記衝撃が緩和される作用を生じ、紙屑が投入口１２から外側に跳ね返ってしまうような不都合は生じない。
【００２７】
また、投入口１２は、横方向に長い形状とすることができるため、底壁１１の直径寸法に比べて相対的に大きな幅に形成できるため、塵の投入もし易い状態に保つことが可能となる。
【００２８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、前記実施形態では、底壁１１が円形となる場合について図示、説明したが、図６に示されるように、平面視略方形の底壁１１とし、当該底壁１１の外周から略角筒状に立ち上がる周壁１３とし、その上端部１３Ａを扁平にしてファスナー１４を設けるようにしてもよい。
【００３０】
また、図７に示されるように、前記ファスナーを封緘手段３０に代替することもできる。この封緘手段３０は、周壁１３の上端を部分的に長く延長して下方に折り返し可能に設けられた舌片３１と、当該舌片３１の幅方向中間に設けられた差し込み片３２と、この差し込み片３２を差し込んで閉塞状態を維持するスリット３４とにより構成されている。
このような変形例によっても前記実施形態と同様の効果を奏することができる他、ファスナー１４を省略できる、という効果が付加される。
【００３１】
更に、図８に示されるように、周壁１３の上下方向に沿ってファスナー１４を設けることでもよい。また、ここでは図示省略しているが、周壁１３の上端部１３Ａから周壁１３の一部に跨るように、つまり、正面から見て、略Ｌ字状に連続して延びる長さとなるファスナー１４を採用することも可能である。この場合には、排出口１５を一層大きく開放することができるようになり、塵の廃棄が容易となる。
【００３２】
また、前記ファスナー１４は、周壁１３の上端部１３Ａの内面側に面ファスナーを設けることによって構成することもできる。更に、例えば、携帯用灰皿の口部に用いられているように、周壁１３の上端部１３Ａ領域に排出口１５を常時閉塞する板状体からなる一対の弾性材を配置し、これら弾性材の両端間を接近させる方向に力を付与することによって排出口１５を大きく開くことのできる構成等も採用することができる。
【図面の簡単な説明】
【００３３】
【図１】本実施形態に係るダストボックスの概略斜視図。
【図２】前記ダストボックスの正面図。
【図３】図２の右側面図。
【図４】排出口を開放した状態を示すダストボックスの概略斜視図。
【図５】図２のＡ−Ａ線に沿う矢視拡大断面図。
【図６】前記ダストボックスの変形例を示す概略斜視図。
【図７】前記ダストボックスの異なる変形例を示す概略斜視図。
【図８】前記ダストボックスの更に異なる変形例を示す概略斜視図。
【符号の説明】
【００３４】
１０  ダストボックス
１１  底壁
１２  投入口
１３  周壁
１３Ａ  上端部
１４  ファスナー
３０  封緘手段
【図１】
2005239317.tif 000003
【図２】
2005239317.tif 000004
【図３】
2005239317.tif 000005
【図４】
2005239317.tif 000006
【図５】
2005239317.tif 000007
【図６】
2005239317.tif 000008
【図７】
2005239317.tif 000009
【図８】
2005239317.tif 000010